(57)【要約】【課題】端子台、および、この端子台を備える燃料電池システムにおいて、端子台における各端子に接続部品をそれぞれ接続する作業者の感電の可能性を低減する。【解決手段】端子台３０は、第１の端子３２ａと、第２の端子３２ｂと、ハウジング３４と、を備える。ハウジング３４は、第１の挿入口３８ａｍを有し、第１のバスバーと第１の端子３２ａとを接続するために接続用工具が挿入される第１の接続用工具挿入部３８ａと、第２の挿入口３８ｂｍを有し、第１の接続用工具挿入部３８ａと隔離して設けられ、第２の接続部品と第２の端子３２ｂとを接続するために接続用工具が挿入される第２の接続用工具挿入部３８ｂと、を備える。そして、ハウジング３４において、第１の接続用工具挿入部３８ａ、および、第２の接続用工具挿入部３８ｂは、それぞれ、互いに対向する方向から、接続用工具が挿入されるように形成されている。【選択図】図３
2011070978.tif 000002
【特許請求の範囲】
【請求項１】
端子台であって、
第１の端子と、
第２の端子と、
前記第１の端子、および、前記第２の端子を収容するハウジングと、を備え、
前記ハウジングは、
第１の挿入口を有し、前記第１の挿入口から第１の接続部品と前記第１の端子とを接続するために接続用工具が挿入される第１の接続用工具挿入部と、
第２の挿入口を有し、前記第１の接続用工具挿入部と隔離して設けられ、前記第２の挿入口から第２の接続部品と前記第２の端子とを接続するために接続用工具が挿入される第２の接続用工具挿入部と、を備え、
前記ハウジングにおいて、
前記第１の接続用工具挿入部は、該第１の接続用工具挿入部の内部において、前記第２の端子が露出せず、前記第１の端子が露出するように形成されるとともに、第１の方向から、接続用工具が挿入されるように形成されており、
前記第２の接続用工具挿入部は、該第２の接続用工具挿入部の内部において、前記第１の端子が露出せず、前記第２の端子が露出するように形成されるとともに、前記第１の方向と異なる第２の方向から、接続用工具が挿入されるように形成されている、
端子台。
【請求項２】
請求項１記載の端子台であって、
前記第１の方向と、前記第２の方向とは、互いに対向する方向である、
端子台。
【請求項３】
請求項２記載の端子台であって、
前記ハウジングにおいて、前記第１の接続用工具挿入部、および、前記第２の接続用工具挿入部は、それぞれ、前記第１および第２の方向に平行な互いに異なる軸に沿って、接続用工具が挿入されるように配置されている、
端子台。
【請求項４】
請求項３記載の端子台であって、
前記第１の接続用工具挿入部において、前記第１の接続部品と前記第１の端子とが接続される部位は、前記第１の挿入口よりも前記第２の挿入口に近い部位に設けられており、
前記第２の接続用工具挿入部において、前記第２の接続部品と前記第２の端子とが接続される部位は、前記第２の挿入口よりも前記第１の挿入口に近い部位に設けられている、
端子台。
【請求項５】
請求項１ないし４のいずれかに記載の端子台であって、
前記ハウジングは、さらに、
前記第１の接続部品を前記第１の端子に接触させるために前記第１の接続部品が挿入される挿入口を有する第１の接続部品挿入部と、
前記第２の接続部品を前記第２の端子に接触させるために前記第２の接続部品が挿入される挿入口を有する第２の接続部品挿入部と、を備え、
前記第１の接続部品挿入部における挿入口、および、前記第２の接続部品挿入部における挿入口は、それぞれ、略矩形形状を有しており、
前記略矩形形状における短辺の長さは、人間の手の指の径よりも短い、
端子台。
【請求項６】
燃料電池システムであって、
第１の出力端子、および、第２の出力端子を有する燃料電池スタックと、
前記第１の出力端子、および、前記第２の出力端子に接続された端子台であって、請求項１ないし５のいずれかに記載の端子台と、
前記燃料電池スタック、および、前記端子台における前記ハウジングの一部を収納するスタックケースであって、前記ハウジングの他の一部が貫通して、前記ハウジングの他の一部を、該スタックケースの外部に突出させるとともに、該スタックケースの外部に前記各挿入口を露出させるための開口部を有するスタックケースと、
前記開口部と前記ハウジングとの間の隙間の幅を、人間の手の指の径よりも狭い幅に制限するための制限部材と、
を備える燃料電池システム。
【発明の詳細な説明】
【技術分野】
【０００１】
本発明は、端子台、および、この端子台を備える燃料電池システムに関するものである。
【背景技術】
【０００２】
例えば、燃料電池等の電源装置を、コンバータ等の他の装置に接続する場合、両者間の配線を中継するために、端子台が用いられる。この端子台は、電源装置の正極に接続される正極端子、および、電源装置の負極に接続される負極端子を備える。
【先行技術文献】
【特許文献】
【０００３】
【特許文献１】特開２００７−８７６７８号公報
【発明の概要】
【発明が解決しようとする課題】
【０００４】
上述した端子台が電源装置に接続された状態で、端子台における正極端子、および、負極端子に、他の装置との接続を行うための接続部品をそれぞれ接続する場合、その作業者の手の指が正極端子と負極端子とに同時に触れると感電するおそれがある。そこで、この感電を防止するために、端子台には、正極端子、および、負極端子を収容するハウジングが設けられる。そして、このハウジングには、正極端子、および、負極端子に、それぞれ、接続部品を接続するための接続工具が挿入される正極端子用の挿入口、および、負極端子用の挿入口が設けられる。
【０００５】
しかし、端子台に上記ハウジングが設けられている場合であっても、作業者がこの端子台を把持する際に、誤って上記各挿入口に手の指が挿入されてしまい、正極端子、および、負極端子に触れてしまうおそれがあった。
【０００６】
本発明は、上述の課題を解決するためになされたものであり、端子台、および、この端子台を備える燃料電池システムにおいて、端子台における各端子に接続部品をそれぞれ接続する作業者の感電の可能性を低減することを目的とする。
【課題を解決するための手段】
【０００７】
本発明は、上述の課題の少なくとも一部を解決するためになされたものであり、以下の形態又は適用例として実現することが可能である。
【０００８】
［適用例１］端子台であって、第１の端子と、第２の端子と、前記第１の端子、および、前記第２の端子を収容するハウジングと、を備え、前記ハウジングは、第１の挿入口を有し、前記第１の挿入口から第１の接続部品と前記第１の端子とを接続するために接続用工具が挿入される第１の接続用工具挿入部と、第２の挿入口を有し、前記第１の接続用工具挿入部と隔離して設けられ、前記第２の挿入口から第２の接続部品と前記第２の端子とを接続するために接続用工具が挿入される第２の接続用工具挿入部と、を備え、前記ハウジングにおいて、前記第１の接続用工具挿入部は、該第１の接続用工具挿入部の内部において、前記第２の端子が露出せず、前記第１の端子が露出するように形成されるとともに、第１の方向から、接続用工具が挿入されるように形成されており、前記第２の接続用工具挿入部は、該第２の接続用工具挿入部の内部において、前記第１の端子が露出せず、前記第２の端子が露出するように形成されるとともに、前記第１の方向と異なる第２の方向から、接続用工具が挿入されるように形成されている、端子台。
【０００９】
適用例１の端子台では、上記ハウジングにおいて、上記第１の接続用工具挿入部が、この第１の接続用工具挿入部の内部において、上記第２の端子が露出せず、上記第１の端子が露出するように形成されている。したがって、上記各端子に上記各接続部品を接続する作業者がこの作業を行うときに、手の指が上記第１の接続用工具挿入部から上記各端子に同時に接触することを防止することができる。また、上記第２の接続用工具挿入部が、この第２の接続用工具挿入部の内部において、上記第１の端子が露出せず、上記第２の端子が露出するように形成されている。したがって、上記作業者の手の指が上記第２の接続用工具挿入部から上記各端子に同時に接触することを防止することができる。また、上記各接続用工具挿入部が、互いに異なる方向から接続用工具が挿入されるように形成されているので、上記作業者が故意に上記各挿入口に手の指を挿入しない限り、上記各端子に接触することを抑制することができる。したがって、適用例１の端子台によって、上記作業者の感電の可能性を低減することができる。
【００１０】
なお、上記第１の接続用工具挿入部に挿入される接続用工具と、上記第２の接続用工具挿入部に挿入される接続用工具とは、同じであってもよいし、異なっていてもよい。
【００１１】
［適用例２］適用例１記載の端子台であって、前記第１の方向と、前記第２の方向とは、互いに対向する方向である、端子台。
【００１２】
適用例２の端子台では、上記各接続用工具挿入部への接続工具の挿入方向、すなわち、上記各挿入口から上記各端子へのアクセス方向が、互いに対向する方向であるので、上記作業者は、上記各端子に片手で同時にアクセスすることがさらに困難となる。したがって、上記作業者の感電の可能性をさらに低減することができる。
【００１３】
なお、適用例２の端子台において、上記第１の接続用工具挿入部と、上記第２の接続用工具挿入部とは、同一の軸上に形成されているものとしてもよいし、互いに異なる軸上に形成されているものとしてもよい。
【００１４】
［適用例３］適用例２記載の端子台であって、前記ハウジングにおいて、前記第１の接続用工具挿入部、および、前記第２の接続用工具挿入部は、それぞれ、前記第１および第２の方向に平行な互いに異なる軸に沿って、接続用工具が挿入されるように配置されている、端子台。
【００１５】
適用例３の端子台では、上記各接続用工具挿入部が、それぞれ、互いに平行な異なる軸に沿って、接続用工具が挿入されるように配置されているので、上記軸に沿った方向についての上記ハウジングの幅を、上記各接続用工具挿入部が同一の軸上に形成されている場合よりも短縮し、端子台のコンパクト化を図ることができる。
【００１６】
［適用例４］適用例３記載の端子台であって、前記第１の接続用工具挿入部において、前記第１の接続部品と前記第１の端子とが接続される部位は、前記第１の挿入口よりも、前記第２の挿入口に近い部位に設けられており、前記第２の接続用工具挿入部において、前記第２の接続部品と前記第２の端子とが接続される部位は、前記第２の挿入口よりも、前記第１の挿入口に近い部位に設けられている、端子台。
【００１７】
適用例４の端子台によって、上記ハウジングの幅を短縮しつつも、上記第１の接続用工具挿入部における第１の挿入口から上記第１の端子までの距離、および、上記第２の接続用工具挿入部における第２の挿入口から上記第２の端子までの距離を、比較長く確保することができる。したがって、上記ハウジングの幅が短縮されても、上記作業者の手の指が、上記各接続用工具挿入部に挿入されて、上記各端子に接触することを抑制することができる。
【００１８】
［適用例５］適用例１ないし４のいずれかに記載の端子台であって、前記ハウジングは、さらに、前記第１の接続部品を前記第１の端子に接触させるために前記第１の接続部品が挿入される挿入口を有する第１の接続部品挿入部と、前記第２の接続部品を前記第２の端子に接触させるために前記第２の接続部品が挿入される挿入口を有する第２の接続部品挿入部と、を備え、前記第１の接続部品挿入部における挿入口、および、前記第２の接続部品挿入部における挿入口は、それぞれ、略矩形形状を有しており、前記略矩形形状における短辺の長さは、人間の手の指の径よりも短い、端子台。
【００１９】
適用例５の端子台では、上記作業者は、上記各接続部品挿入部に手の指を挿入することができないので、上記各接続部品挿入部から上記各端子に接触して感電することを防止することができる。
【００２０】
［適用例６］燃料電池システムであって、第１の出力端子、および、第２の出力端子を有する燃料電池スタックと、前記第１の出力端子、および、前記第２の出力端子に接続された端子台であって、適用例１ないし５のいずれかに記載の端子台と、前記燃料電池スタック、および、前記端子台における前記ハウジングの一部を収納するスタックケースであって、前記ハウジングの他の一部が貫通して、前記ハウジングの他の一部を、該スタックケースの外部に突出させるとともに、該スタックケースの外部に前記各挿入口を露出させるための開口部を有するスタックケースと、前記開口部と前記ハウジングとの間の隙間の幅を、人間の手の指の径よりも狭い幅に制限するための制限部材と、を備える燃料電池システム。
【００２１】
上記燃料電池スタックと上記端子台の一部とを上記スタックケースに収納する場合、その作業性を考慮して、上記スタックケースにおける開口部は、上記端子台の他の一部を容易に貫通させることができるように、比較的大きな開口面積が設定される。このため、上記開口部と上記端子台のハウジングとの間の隙間から、作業者の手の指が挿入される場合があり得る。
【００２２】
適用例６の燃料電池システムでは、上記制限部材を備えているので、上記作業者の手の指が、上記開口部と上記端子台におけるハウジングとの間の隙間から、上記スタックケース内に収納された燃料電池スタックにおける第１の出力端子、および、第２の出力端子に接触することを防止することができる。したがって、上記作業者の感電の可能性を低減することができる。
【００２３】
なお、上記制限部材は、例えば、上記スタックケース、および、上記端子台と別体としてもよいし、上記端子台が上記制限部材を一体的に備えるようにしてもよい。
【図面の簡単な説明】
【００２４】
【図１】本発明の一実施例としての燃料電池システム１００の概略構成を示す説明図である。
【図２】端子台３０の概略構成を示す説明図である。
【図３】端子台３０の概略構成を示す説明図である。
【図４】カバー４０の形状、および、燃料電池システム１００におけるカバー４０周辺の様子を示す説明図である。
【発明を実施するための形態】
【００２５】
以下、本発明の実施の形態について、実施例に基づき説明する。
Ａ．燃料電池システム：
図１は、本発明の一実施例としての燃料電池システム１００の概略構成を示す説明図である。この燃料電池システム１００は、複数のセルを積層してなる燃料電池スタック１０と、燃料電池スタック１０におけるアノード側、および、カソード側の出力端子（図示省略）に接続された端子台３０と、燃料電池スタック１０、および、端子台３０の一部（端子台３０と燃料電池スタック１０における各出力端子との接続部）を収納するスタックケース２０と、を備えている。端子台３０については、後から詳述する。
【００２６】
スタックケース２０には、開口部２２が設けられており、この開口部２２から、端子台３０の他の一部（後述する各接続部品挿入口、および、各接続用工具挿入口）がスタックケース２０の外部に貫通して、スタックケース２０の外部に露出している。この端子台３０は、後述するように、燃料電池スタック１０における各出力端子にそれぞれ接続された２つの端子を備えており、これらには、図示しないコンバータへの通電を行うためのバスバー（接続部品）がそれぞれ接続される。また、燃料電池システム１００は、スタックケース２０における開口部２２と端子台３０との間の隙間の幅を制限するための、貫通孔４２を有するカバー４０を備えている。カバー４０は、［課題を解決するための手段］における制限部材に相当する。
【００２７】
なお、図示は省略しているが、燃料電池システム１００は、燃料電池スタック１０のアノードに燃料ガスを供給するための燃料ガス供給系や、燃料電池スタック１０のアノードから排出されるアノードオフガスを排気するためのアノードオフガス排気系を備えている。また、燃料電池システム１００は、燃料電池スタック１０のカソードに酸化剤ガスを供給するための酸化剤ガス供給系や、燃料電池スタック１０のカソードから排出されるカソードオフガスを排気するためのカソードオフガス排気系を備えている。また、燃料電池システム１００は、燃料電池スタック１０に冷却媒体を循環させるための冷却媒体循環系を備えている。
【００２８】
Ｂ．端子台：
図２、および、図３は、端子台３０の概略構成を示す説明図である。図２に、端子台３０の斜視図を示した。また、図３に、図２に示したｚ軸の正方向から端子台３０を見た平面図を示した。なお、この端子台３０は、略直方体形状を有しており、人間が片手で把持可能な大きさを有している。
【００２９】
図２（ａ）に示したように、端子台３０は、第１の端子３２ａと、第２の端子３２ｂと、これらを収容するハウジング３４と、を備えている。第１の端子３２ａは、燃料電池スタック１０におけるアノード側の出力端子に接続される。そして、第１の端子３２ａにおいて、第１の端子３２ａと燃料電池スタック１０におけるアノード側の出力端子との接続部の一部は、ハウジング３４が備える被覆部３４ａによって被覆されている。また、第２の端子３２ｂは、燃料電池スタック１０におけるカソード側の出力端子に接続される。そして、第２の端子３２ｂにおいて、第２の端子３２ｂと燃料電池スタック１０におけるカソード側の出力端子との接続部の一部は、ハウジング３４が備える被覆部３４ｂによって被覆されている。
【００３０】
ハウジング３４は、第１の接続部品挿入部３６ａと、第２の接続部品挿入部３６ｂと、を備えている。第１の接続部品挿入部３６ａは、略直方体の空洞であり、第１の接続部品としての第１のバスバーが挿入される挿入口３６ａｍを有している。本実施例では、挿入口３６ａｍは、矩形形状を有しているものとした。そして、挿入口３６ａｍにおける短辺の幅ｗ１は、人間の手の指が挿入されないように、人間の手の指の径よりも短い値（例えば、８（ｍｍ））が設定されている。また、第２の接続部品挿入部３６ｂも、１の接続部品挿入部３６ａと同様に、略直方体の空洞であり、第２の接続部品としての第２のバスバーが挿入される挿入口３６ｂｍを有している。本実施例では、挿入口３６ｂｍも、第１の接続部品挿入部３６ａにおける挿入口３６ａｍと同様に、矩形形状を有しているものとした。そして、挿入口３６ｂｍにおける短辺の幅ｗ２も、人間の手の指が挿入されないように、人間の手の指の径よりも短い値（例えば、８（ｍｍ））が設定されている。なお、本実施例では、ハウジング３４において、第１の接続部品挿入部３６ａ、および、第２の接続部品挿入部３６ｂは、それぞれ、図示したｚ軸の正方向から負方向に向かって、第１のバスバー、および、第２のバスバーが挿入されるように形成されている。
【００３１】
また、図２（ｂ）に示したように、第１の端子３２ａは、ハウジング３４の内部において、図示した底面に沿ってｘ軸方向に延びる部位と、ｚ軸方向に直角に折れ曲がって延びる部位とを備える形状を有している。この第１の端子３２ａは、ハウジング３４の内部に埋め込まれる。そして、第１の接続部品挿入部３６ａに挿入された第１のバスバーは、第１の端子３２ａにおける接続部３２ａｃに接触する。また、第２の端子３２ｂは、ハウジング３４の内部において、図示した側面に沿ってｘ軸方向に延びる部位と、ｙ軸方向に直角に折れ曲がって延びる部位とを備える形状を有している。この第２の端子３２ｂも、ハウジング３４の内部に埋め込まれる。そして、第２の接続部品挿入部３６ｂに挿入された第２のバスバーは、第２の端子３２ｂにおける接続部３２ｂｃに接触する。
【００３２】
また、ハウジング３４は、第１の接続用工具挿入部３８ａと、第２の接続用工具挿入部３８ｂ（図３参照）と、を備えている。ハウジング３４において、第１の接続用工具挿入部３８ａと、第２の接続用工具挿入部３８ｂとは、隔離して設けられている。
【００３３】
そして、第１の接続用工具挿入部３８ａは、略直方体の空洞であり、第１の接続部品挿入部３６ａにおける挿入口３６ａｍから挿入された第１のバスバーと第１の端子３２ａにおける接続部３２ａｃとを接続するための接続用工具が挿入される第１の挿入口３８ａｍを有している。第１の接続用工具挿入部３８ａと第１の接続部品挿入部３６ａとは連通している。ハウジング３４において、第１の接続用工具挿入部３８ａは、第１の接続用工具挿入部３８ａの内部において、第２の端子３２ｂが露出せずに、第１の端子３２ａが露出するように形成されている。また、第２の接続用工具挿入部３８ｂも、略直方体の空洞であり、第２の接続部品挿入部３６ｂにおける挿入口３６ｂｍから挿入された第２のバスバーと第２の端子３２ｂにおける接続部３２ｂｃとを接続するための接続用工具が挿入される第２の挿入口３８ｂｍを有している。第２の接続用工具挿入部３８ｂと第２の接続部品挿入部３６ｂとは連通している。ハウジング３４において、第２の接続用工具挿入部３８ｂは、第２の接続用工具挿入部３８ｂの内部において、第１の端子３２ａが露出せずに、第２の端子３２ｂが露出するように形成されている。なお、本実施例では、第１のバスバーと第１の端子３２ａ、第２のバスバーと第２の端子３２ｂは、それぞれ、例えば、ボルト等の部品を用いて接続・固定され（図示省略）、接続用工具としては、例えば、レンチ等が用いられる。
【００３４】
そして、図３に示したように、ハウジング３４において、第１の接続用工具挿入部３８ａ、および、第２の接続用工具挿入部３８ｂは、図示したｙ軸における正方向、および、負方向、すなわち、互いに対向する方向から、接続用工具が挿入されるように形成されている。また、ハウジング３４において、第１の接続用工具挿入部３８ａは、図示したｙ軸に平行な軸ＡＸ１に沿って、接続用工具が挿入されるように配置されており、また、第２の接続用工具挿入部３８ｂは、軸ＡＸ１に平行な軸ＡＸ２に沿って、接続用工具が挿入されるように配置されている。なお、本実施例では、軸ＡＸ１と、軸ＡＸ２とは、図示したｘ軸方向に、互いにずれている。
【００３５】
また、第１の接続用工具挿入部３８ａにおいて、第１の端子３２ａにおける接続部３２ａｃは、第１の接続用工具挿入部３８ａにおける第１の挿入口３８ａｍよりも、第２の接続用工具挿入部３８ｂにおける第２の挿入口３８ｂｍに近い部位に設けられている。また、第２の接続用工具挿入部３８ｂにおいて、第２の端子３２ｂにおける接続部３２ｂｃは、第２の接続用工具挿入部３８ｂにおける第２の挿入口３８ｂｍよりも、第１の接続用工具挿入部３８ａにおける第１の挿入口３８ａｍに近い部位に設けられている。
【００３６】
Ｃ．カバー：
図４は、カバー４０の形状、および、燃料電池システム１００におけるカバー４０周辺の様子を示す説明図である。本実施例では、燃料電池スタック１０、および、端子台３０の一部をスタックケース２０に収納する場合の作業性を考慮して、スタックケース２０の開口部２２は、端子台３０のハウジング３４を容易に貫通させることができるように、比較的大きな開口面積が設定されている。このため、スタックケース２０にカバー４０が取り付けられていない状態では、燃料電池システム１００を図１に示したｘ軸の正方向から見たときの、スタックケース２０における開口部２２と端子台３０におけるハウジング３４との間の隙間の幅Ｗａは、人間の手の指が挿入され得る程度に比較的広い。一方、スタックケース２０にカバー４０が取り付けられると、図示するように、スタックケース２０における開口部２２と端子台３０におけるハウジング３４との間の隙間の幅Ｗｂが、人間の手の指が挿入されない幅に制限される。
【００３７】
以上説明した本実施例の端子台３０によれば、ハウジング３４において、第１の接続用工具挿入部３８ａが、第１の接続用工具挿入部３８ａの内部において、第２の端子３２ｂが露出せず、第１の端子３２ａが露出するように形成されている。したがって、各端子３２ａ，３２ｂに、それぞれ、第１のバスバー、および、第２のバスバーを接続する作業者がこの作業を行うときに、手の指が第１の接続用工具挿入部３８ａから各端子３２ａ，３２ｂに同時に接触することを防止することができる。また、第２の接続用工具挿入部３８ｂが、第２の接続用工具挿入部３８ｂの内部において、第１の端子３２ａが露出せず、第２の端子３２ｂが露出するように形成されている。したがって、上記作業者の手の指が第２の接続用工具挿入部３８ｂから各端子３２ａ，３２ｂに同時に接触することを防止することができる。また、第１の接続用工具挿入部３８ａ、および、第２の接続用工具挿入部３８ｂが、互いに対向する方向から接続用工具が挿入されるように形成されているので、作業者が故意に各挿入口３６ａｍ，３６ｂｍに手の指を挿入しない限り、各端子３２ａ，３２ｂに片手で同時に触れることが困難である。したがって、本実施例の端子台３０によって、作業者の感電の可能性を低減することができる。
【００３８】
また、本実施例の端子台３０では、ハウジング３４において、第１の接続用工具挿入部３８ａ、および、第２の接続用工具挿入部３８ｂが、それぞれ、互いに平行な異なる軸ＡＸ１，ＡＸ２に沿って、接続用工具が挿入されるように配置されている。したがって、この軸に沿った方向についてのハウジング３４の幅Ｗ（図３参照）を、第１の接続用工具挿入部３８ａ、および、第２の接続用工具挿入部３８ｂが同一の軸上に形成されている場合よりも短縮し、端子台３０のコンパクト化を図ることができる。
【００３９】
さらに、本実施例の端子台３０では、第１の接続用工具挿入部３８ａにおいて、第１の端子３２ａにおける接続部３２ａｃは、第１の接続用工具挿入部３８ａにおける挿入口３８ａｍよりも、第２の接続用工具挿入部３８ｂにおける挿入口３８ｂｍに近い部位に設けられている。また、第２の接続用工具挿入部３８ｂにおいて、第２の端子３２ｂにおける接続部３２ｂｃは、第２の接続用工具挿入部３８ｂにおける挿入口３８ｂｍよりも、第１の接続用工具挿入部３８ａにおける挿入口３８ａｍに近い部位に設けられている。したがって、上述したように、ハウジング３４の幅Ｗを短縮しつつも、第１の接続用工具挿入部３８ａにおける挿入口３８ａｍから第１の端子３２ａにおける接続部３２ａｃまでの距離、および、第２の接続用工具挿入部３８ｂにおける挿入口３８ｂｍから第２の端子３２ｂにおける接続部３２ｂｃまでの距離を、比較長く確保することができる。そして、上述したハウジング３４の幅Ｗが短縮されても、作業者の手の指が、各接続用工具挿入部３８ａ，３８ｂに挿入されて、各端子３２ａ，３２ｂに接触することを抑制することができる。
【００４０】
また、本実施例の端子台３０では、ハウジング３４において、第１の接続部品挿入部３６ａにおける挿入口３６ａｍは、矩形形状を有しており、挿入口３６ａｍにおける短辺の幅ｗ１は、人間の手の指が挿入されない値が設定されている。また、第２の接続部品挿入部３６ｂにおける挿入口３６ｂｍも、矩形形状を有しており、挿入口３６ｂｍにおける短辺の幅ｗ２は、人間の手の指が挿入されない値が設定されている。したがって、作業者は、第１の接続部品挿入部３６ａ、および、第２の接続部品挿入部３６ｂに手の指を挿入することができないので、第１の接続部品挿入部３６ａ、および、第２の接続部品挿入部３６ｂから各端子３２ａ，３２ｂに接触して感電することを防止することができる。
【００４１】
また、本実施例の燃料電池システム１００は、カバー４０を備えており、このカバー４０によって、スタックケース２０における開口部２２と端子台３０におけるハウジング３４との間の隙間の幅Ｗｂが、人間の手の指を挿入できない幅に制限される。したがって、作業者の手の指が、スタックケース２０における開口部２２と端子台３０におけるハウジング３４との間の隙間から、スタックケース２０内に収納された燃料電池スタック１０における第１の出力端子、および、第２の出力端子に接触することを防止し、作業者の感電の可能性を低減することができる。
【００４２】
Ｄ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００４３】
Ｄ１．変形例１：
上記実施例の端子台３０では、ハウジング３４において、第１の接続用工具挿入部３８ａ、および、第２の接続用工具挿入部３８ｂは、互いに対向する方向から接続用工具が挿入されるように形成されるものとしたが、本発明は、これに限られない。第１の接続用工具挿入部３８ａ、および、第２の接続用工具挿入部３８ｂは、一般に、互いに異なる方向から接続用工具が挿入されるように形成されていればよい。
【００４４】
Ｄ２．変形例２：
上記実施例の端子台３０では、ハウジング３４において、第１の接続用工具挿入部３８ａ、および、第２の接続用工具挿入部３８ｂが、それぞれ、互いに平行な異なる軸ＡＸ１，ＡＸ２（図３参照）に沿って、接続用工具が挿入されるように配置されているものとしたが、本発明は、これに限られない。第１の接続用工具挿入部３８ａ、および、第２の接続用工具挿入部３８ｂは、同一の軸上に形成されるものとしてもよい。
【００４５】
Ｄ３．変形例３：
上記実施例の端子台３０では、第１の接続用工具挿入部３８ａにおいて、第１の端子３２ａにおける接続部３２ａｃは、第１の接続用工具挿入部３８ａにおける第１の挿入口３８ａｍよりも、第２の接続用工具挿入部３８ｂにおける第２の挿入口３８ｂｍに近い部位に設けられるものとしたが、本発明は、これに限られない。また、第２の接続用工具挿入部３８ｂにおいて、第２の端子３２ｂにおける接続部３２ｂｃは、第２の接続用工具挿入部３８ｂにおける第２の挿入口３８ｂｍよりも、第１の接続用工具挿入部３８ａにおける第１の挿入口３８ａｍに近い部位に設けられているものとしたが、本発明は、これに限られない。第１の接続用工具挿入部３８ａ、および、第２の接続用工具挿入部３８ｂにおいて、第１の端子３２ａにおける接続部３２ａｃ、および、第２の端子３２ｂにおける接続部３２ｂｃは、それぞれ、他の位置に設けるものとしてもよい。
【００４６】
Ｄ４．変形例４：
上記実施例の端子台３０では、ハウジング３４において、第１の接続部品挿入部３６ａにおける挿入口３６ａｍは、矩形形状を有しており、挿入口３６ａｍの短辺の幅ｗ１は、人間の手の指が挿入されない値が設定されているものとしたが、本発明は、これに限られない。また、第２の接続部品挿入部３６ｂにおける挿入口３６ｂｍも、矩形形状を有しており、挿入口３６ｂｍの短辺の幅ｗ２も、人間の手の指が挿入されない値が設定されているものとしたが、本発明は、これに限られない。第１の接続部品挿入部３６ａにおける挿入口３６ａｍ、および、第２の接続部品挿入部３６ｂにおける挿入口３６ｂｍは、一般に、それぞれ、人間の手の指の挿入を許容しない形状を有していればよく、矩形形状以外の他の形状とてもよい。
【００４７】
Ｄ５．変形例５：
上記実施例の燃料電池システム１００では、［課題を解決するための手段］における制限部材として、スタックケース２０、および、端子台３０とは別に用意されたカバー４０を用いるものとしたが、本発明は、これに限られない。例えば、端子台３０が、上記制限部材としての機能を有するつばや、突出部を一体的に備えるようにしてもよい。
【符号の説明】
【００４８】
１０…燃料電池スタック
２０…スタックケース
２２…開口部
３０…端子台
３２ａ…第１の端子
３２ａｃ…接続部
３２ｂ…第２の端子
３２ｂｃ…接続部
３４…ハウジング
３４ａ，３４ｂ…被覆部
３６ａ…第１の接続部品挿入部
３６ａｍ…挿入口
３６ｂ…第２の接続部品挿入部
３６ｂｍ…挿入口
３８ａ…第１の接続用工具挿入部
３８ａｍ…第１の挿入口
３８ｂ…第２の接続用工具挿入部
３８ｂｍ…第２の挿入口
４０…カバー
４２…貫通孔
１００…燃料電池システム
【図１】
2011070978.tif 000003
【図２】
2011070978.tif 000004
【図３】
2011070978.tif 000005
【図４】
2011070978.tif 000006